(57)【要約】【課題】従来のコンバインは、選別室の上部、すなわち、揺動選別棚上に主唐箕の選別風が届かないことと、併せて、入口漏斗の下方には必然的に空間部ができて、限られた狭い走行フレーム上が有効に利用されていない課題があった。【解決手段】この発明は、コンバイン（２）の走行フレーム（３）上に脱穀装置（５）を搭載し、この脱穀装置（５）の前側にある入口漏斗（７）の下方と刈取懸架台（１）との間にできる空間部（６）に副選別風ファン（９）を載置して設け、この副選別風ファン（９）によって選別室（８）で主唐箕の選別風が届かない死角の部分に副選別風を吹き込む構成とした脱穀装置の副選別風ファンである。【選択図】図１
2006204138.tif 000002
【特許請求の範囲】
【請求項１】
前部に、上方前方側に突出させた刈取懸架台（１）を装備したコンバイン（２）の走行フレーム（３）上に、穀稈供給口（４）を前側にして脱穀装置（５）を搭載し、該脱穀装置（５）と前記刈取懸架台（１）との間に形成される空間部（６）で、前記穀稈供給口（４）の前にある入口漏斗（７）の下方位置に、前記脱穀装置（５）の選別室（８）上部に副選別風を吹き込む副選別風ファン（９）を軸装して設けたことを特徴とする脱穀装置の副選別風ファン。
【請求項２】
前記副選別風ファン（９）は、前記空間部（６）内に装置するにあたり、可及的大径に構成したことを特徴とする請求項１記載の脱穀装置の副選別風ファン。
【請求項３】
前記走行フレーム（３）は、前記副選別風ファン（９）を装備した前部フレーム（３ａ）を高く、前記脱穀装置（５）を搭載した中間後部フレーム（３ｂ）を低くした段差を有する連続フレームに構成し、前記副選別風ファン（３）は、前記脱穀装置（５）の圧風唐箕（１０）と前記刈取懸架台（１）との間に形成される前記空間部（６）内に装置するにあたり、可及的大径に構成したことを特徴とする請求項１、又は２記載の脱穀装置の副選別風ファン。
【発明の詳細な説明】
【技術分野】
【０００１】
この発明は、コンバインの走行フレーム上に搭載した脱穀装置において、選別室に副選別風を吹き込むファンを設けた脱穀装置の副選別風ファンに関する。
【背景技術】
【０００２】
従来からこの種の脱穀装置における選別装置は、主唐箕となる圧風唐箕の他に、セカンドファンと称して、選別室内に主選別風を補助するために、副選別風を吹き込む副選別風ファンを設けて選別の精度を高める構成が知られている。たとえば、圧風唐箕の上側にセカンドファンを設けて、主選別風が届かない揺動選別棚上に副選別風を吹き込む構成や、一番と二番との移送螺旋の間に装置して、主として二番物の選別効果を高めるための装置等が知られている。
【０００３】
その一例として、例えば、公開実用新案公報、昭６２−３３２４３号には、添付図面の第２図、及び第３図に示されているように、主唐箕である圧風唐箕の上側で選別方向の最も上手側に副選別風ファンを装備して、主唐箕の選別風が届かない揺動選別棚上に副選別風を吹き込んで、選別室上部の選別精度を大幅に向上する技術が開示されている。
【特許文献１】実開昭６２−３３２４３号公報
【発明の開示】
【発明が解決しようとする課題】
【０００４】
通常、コンバインの走行フレーム上に脱穀装置を搭載する場合、フレームの前部にある刈取懸架台の後方位置に、穀稈供給口を前側にして脱穀装置を載置すると、穀稈供給口の前側に連続して設けられている入口漏斗の下方に空間部ができる配置構成になっていた。したがって、従来のコンバインは、この空間部をエンジンから出る熱風の排風通路に利用するのが一般的であり、限られた狭いコンバインの走行フレーム上が有効に利用されていない課題があった。
【０００５】
この出願に係る発明は、上記空間部を有効に活用して、コンバインの前後長を長くすることなく、副選別風ファンを装備して、主唐箕の選別風が届かない主唐箕の上方位置の揺動選別棚上に副選別風を吹き込んで選別室全体の選別精度を向上するものである。
【課題を解決するための手段】
【０００６】
この発明は、上記課題を解決するために、請求項１に記載した発明は、前部に、上方前方側に突出させた刈取懸架台（１）を装備したコンバイン（２）の走行フレーム（３）上に、穀稈供給口（４）を前側にして脱穀装置（５）を搭載し、該脱穀装置（５）と前記刈取懸架台（１）との間に形成される空間部（６）で、前記穀稈供給口（４）の前にある入口漏斗（７）の下方位置に、前記脱穀装置（５）の選別室（８）上部に副選別風を吹き込む副選別風ファン（９）を軸装して設けたことを特徴とする脱穀装置の副選別風ファンであって、前側にある刈取懸架台（１）とその背後に搭載した脱穀装置（５）との間にできる入口漏斗（７）の下方空間部（６）を有効に活用して、コンバインの前後長さを長くすることなく副選別風ファン（９）を載置して、主唐箕から選別風が届かない部位にある揺動選別棚上に副選別風を吹き込んで選別精度を向上することができるものとなっている。
【０００７】
つぎに、請求項２に記載した発明は、前記副選別風ファン（９）は、前記空間部（６）内に装置するにあたり、可及的大径に構成したことを特徴とする請求項１記載の脱穀装置の副選別風ファンであって、限られた狭いスペース内において、ファン容量を最大限に大きく構成できて、充分な副選別風を選別室上部に供給できると共に、防塵網を通してエンジンの熱風を吸引して選別室に吹き込むことができる。したがって、この発明は、濡れ扱ぎ等に適する副選別風を吹き込むことができる。
【０００８】
つぎに、請求項３に記載した発明は、前記走行フレーム（３）は、前記副選別風ファン（３）を装備した前部フレーム（３ａ）を高く、前記脱穀装置（５）を搭載した中間後部フレーム（３ｂ）を低くした段差を有する連続フレームに構成し、前記副選別風ファン（９）は、前記脱穀装置（５）の圧風唐箕（１０）と前記刈取懸架台（１）との間に形成される前記空間部（６）内に装置するにあたり、可及的大径に構成したことを特徴とする請求項１、又は２記載の脱穀装置の副選別風ファンであって、走行フレーム（３）の下方には、クローラが装備されており、前部フレーム（３a）の下側には駆動スプロケットが配置されている。したがって、クローラは、前部フレーム（３a）の地上高が高いために装着や取り外し作業が比較的楽でやり易くなり、その上に泥はけのよい装置となっている。そして、脱穀装置は、地上高さの低い中間後部フレーム（３b）上に搭載したから、上部の高さ位置を保持したまま、上下方向の容積を拡大できて選別能力を大幅に向上することが可能になった。
【発明の効果】
【０００９】
まず、請求項１に記載した発明は、前側にある刈取懸架台（１）とその背後に搭載した脱穀装置（５）との間であって、入口漏斗（７）の下方に形成される空間部（６）を有効に活用して、副選別風ファン（９）を設けた特徴がある。そして、この発明は、コンバインの全長を長くすることなく副選別風ファン（９）を載置して、主唐箕から選別風が届かない部位にある揺動選別棚上に副選別風を吹き込んで選別精度を向上することができる特有の効果を奏する。
【００１０】
そして、請求項２に記載した発明は、請求項１の有する効果を奏するものでありながら、限られた狭いスペース内において、ファン容量を最大限に大きく構成できて、充分な副選別風を選別室上部に供給できると共に、防塵網を通してエンジンの熱風を吸引して、熱が停滞するのを防止して選別室に吹き込むことができる特徴を有する。
【００１１】
そして、この発明は、エンジンからの熱風を副選別風として揺動選別棚上に吹き込むことができるから、濡れ扱ぎ等に適する選別風となり、効果的に選別精度を向上できる特徴がある。
【００１２】
そして、請求項３に記載した発明は、走行フレーム（３）の下方には、クローラが装備されており、しかも、高い前部フレーム（３a）の下側には走行ミッションに軸架した駆動スプロケットが配置されているから、クローラの装着や取り外しのメンテナンス作業が楽にできる効果がある。そして、上記構成は、泥はけ（泥土が後方側に抜け易い）の良好な装置となって、湿田の走行性が大幅に向上した利点がある。
【００１３】
そして、脱穀装置（５）は、地上高さの低い中間後部フレーム（３b）上に搭載したから、上部の高さ位置を保持したまま、上下方向の容積を拡大（脱穀装置を高くしないで下側に延長、拡大した）して選別能力を向上した特徴がある。
【発明を実施するための最良の形態】
【００１４】
まず、この発明に係る実施例の主要部は、上方前方側に斜めに突出させた刈取懸架台１を前端部に設けた走行フレーム３上に、穀稈供給口４を前側にして脱穀装置５を搭載し、該脱穀装置５の穀稈供給口４に連続する入口漏斗７の下方で、前記刈取懸架台１と脱穀装置５との間に形成される空間部６に、副選別風ファン９を装備し、該ファン９の風を、前記脱穀装置５の選別室８上部で、主唐箕（圧風唐箕１０）の選別風が届かない揺動選別棚１１側に吹き込む構成としている。
【００１５】
このように、実施例は、限られた狭い走行フレーム３上を有効に利用して、コンバイン２の全長を長くしないで副選別風ファン９を装置した点に特徴があり、更に、圧風唐箕１０から送られる選別風が届かない死角部分に副選別風を吹き込んで選別精度を向上する特徴もある。
【００１６】
以下、この発明の実施例を図面に基づいて具体的に説明する。
コンバイン２の走行フレーム３は、図１に示すように、副選別風ファン９を装備した前部フレーム３ａを高く形成し、脱穀装置５を搭載した中間後部フレーム３ｂを低くして段差をつけ、連続したフレームに構成している。そして、刈取懸架台１は、図面に示すように、走行フレーム３の前部フレーム３ａの前端部に、上方前方側に向けて斜めに突出させて設け、刈取フレーム１２の後部上端を上下回動自由に枢着して支持した構成としている。
【００１７】
そして、上記刈取フレーム１２は、図５、及び図６に示すコンバイン２の全体図から解るように、前部に分草杆１３、穀稈引起し装置１４を設け、更に、刈取装置１５を下側に装備し、刈取穀稈を脱穀装置５まで搬送する上下の穀稈搬送装置１６を設けて刈取前処理装置を構成している。
【００１８】
つぎに、脱穀装置５は、図１に示すように、前記走行フレーム３の段差をつけて低くした中間後部フレーム３ｂ上に、穀稈供給口４を前側にして搭載しているが、実施例の場合、脱穀装置５の下部底面が、前側の刈取懸架台１の下端より低い位置まで下げて搭載している。そして、脱穀装置５は、穀稈供給口４の前側に連続して設けた入口漏斗７を刈取懸架台１側に延長し、前記刈取フレーム１２側の穀稈搬送装置１６の終端部から搬送穀稈を受け継ぐように臨ませて設けている。
【００１９】
そして、該入口漏斗７の下方には、前記刈取懸架台１と脱穀装置５との間に必然的に空間部６が形成されることになる。この場合、空間部６は、前側の刈取懸架第１と、後側の脱穀装置５の圧風唐箕１０と、上側の上記入口漏斗７との三つの部材に囲まれた状態に形成され、その部位に、副選別風ファン９を位置させて走行フレーム３上に装置して構成している。そして、副選別風ファン９は、図１、乃至図３に示すように、横断流ファンを使用して下側に張設している防塵網１７の部分を吸気口として外気を吸引するが、エンジン１８と同位相（前後方向の位置を略同位置に装置した意味）に配置し、脱穀装置５の選別室８上部に揺動自由に支架している揺動選別棚１１側に副選別風を吹き込むように軸装して構成している。そして、この場合、副選別風ファン９は、図３、及び図７に示すように、後述するケーシング３５の右側板３５ｂを選別室８の右側板８ｂより左側にオフセットして設け、エンジンプーリ１８ａや、後述する関連の伝動装置（ファン入力プーリー６７等）を設けるスペースを確保した構成としている。
【００２０】
そして、副選別風ファン９は、前記空間部６内に装置するにあたり、周囲から制限された狭いスペースの中において、できる限り容量を大きくして多量の副選別風を起風できるように横幅と直径とを可能な限り大きく構成している。
【００２１】
このように、副選別風ファン９は、横断流ファンの特性を利用して選別風を幅方向にむらなく起風し、全幅で均等に起風した風を揺動選別棚１１側に副選別風として吹き込むことにより、選別むらの発生がほとんどなく、しかも、隣接するエンジン１８の排気（熱気）を防塵網１７の全面から吸引して選別室８側に吹込み濡れ扱ぎ等に対応できる特徴がある。
【００２２】
つぎに、脱穀装置５は、図１、乃至図４に示すように、扱胴１９を軸架した扱室２０を上側に配置し、その下方に選別室８を設けて構成している。そして、二番処理室２１と排塵処理室２２は、前記扱室２０の背後に配置して設け、選別室８から還元されてきた二番物を二番処理胴２１ａで処理し、前記扱室２０から受け継いだ排塵物を排塵処理胴２２ａで処理する構成としている。そして、選別室８は、上側に前記揺動選別棚１１が揺動自由に設けられ、その下方に、選別方向上手側から前記圧風唐箕１０、一番移送螺旋２３、二番移送螺旋２４の順に軸架して構成している。そして、圧風唐箕１０は、既に説明した副選別風ファン９に対する主唐箕であって、従来公知の脱穀装置と同様に、選別室８に選別風を送り込む構成としている。なお、２６は排塵ファンを示している。
【００２３】
つぎに、フィードチエン２７は、図面に示すように、上記扱室２０の外側に扱口に沿わせて設けられているが、図２、乃至図４に示すように、前記刈取懸架台１の外側に固定した支持金具２８に斜めに支持した回動支点ピン２９に回動金具３０を介して回動支持枠３１を回動自由に連結し、この回動支持枠３１に連結固定したチエンレール３２に設けて脱穀穀稈を挟持して搬送する構成としている。そして、フードチエン２７は、図８の作用図で解るように、回動支点ピン２９を支点にして回動金具３０、回動支持枠３１、チエンレール３２と一体の状態で脱穀装置５から離れて外側へオープン回動ができる構成となっている。
【００２４】
このように、フィードチエン２７は、脱穀装置５から外側に遠く離れた位置にオープン回動すると、脱穀装置５の各部（フィードチエン２７側）のメンテナンスは勿論のこと、副選別風ファン９の着脱（具体構成は後述する）、メンテナンスが楽にできるものとなっている。この場合、オープン機構（支持金具２８、回動支点ピン２９、回動金具３０）は、刈取懸架台１とフィードチエン２７との間に設けているから、副変速風ファン９の伝動装置の妨げにはならないと同時に、回動支点ピン２９を斜めに設けて、これを軸芯に回動するから穀稈搬送装置１６を避けて衝突しない経路で回動できる構成にしている。
【００２５】
つぎに、副選別風ファン９は、図９に示すように、ケーシング３５の内部に軸受け支持して収納しており、ケーシング３５と一体に空間部６に着脱可能に構成している。そして、ケーシング３５は、図９に示す実施例の場合、連結部材４２によって連結した左右両側板３５ａ、３５ｂと、ケーシング胴３５ｃとで構成している。そして、上記ケーシング胴３５ｃは、副選別風路６０の構成に関して後述するが、図１５、及び図１７に示すように、円弧形状にして上側に配置し、下方の吸気側（防塵網１７に対応する部位）と吹出し側（副選別風路６０については後述する）とを開口して構成している。
【００２６】
そして、中空軸３８は、図１０、及び図１２に示すように、支持メタル３６により脱穀装置５の前板４５に軸受け支持した入力軸３７に対して、カップリング式にして挿脱自由に形成し、軸端から挿し込んで駆動できる構成にして、ファン９を取り付け支持している。
【００２７】
そして、実施例の場合、ケーシング３５は、図９、乃至図１１に示すように、左側板３５ａの外側に伝動ケース３９を設け、その外側にフレーム側板４０を設け、更に、その外側にフィードチエンギヤケース４１を設け、これらを一体の構成として、一体の状態で着脱自由に構成している。そして、伝動ケース３９は、図１２に示すように、副選別風ファン９の横幅を可及的に広くするために、ケーシング左側板３５ａとフレーム側板４０（平面視で選別室８の左側板８ａと幅方向に同一位置）との間に納めたコンパクト構成をとっている。
【００２８】
そして、ケーシング３５は、図９、及び図１０に示すように、ケーシング胴３５ｃと共に左右の両側板３５ａ，３５ｂを接続する上下連結部材４２に数個のローラ４３を軸架して設け、このローラ４３を選別室８の前板４５に設けたスライドレール４６上を転動させてスライド可能に構成している。そして、スライドレール４６は、図１０に示すように、下側のレールを上側より左側方（フィードチエン２７側）に長く形成して、着脱作業時にケーシング３５の端部を引っ掛けて着脱作業を楽にする工夫を施している。
【００２９】
そして、ロック機構は、図１１、及び図１２に示すように、刈取懸架台１側に係合ピン４７を設け、脱穀装置５の前板４５側にロックプレート４８を設け、対応するケーシング３５の左側板３５ａ側に係合孔４９を設け、外側のフレーム側板４０にロックハンドル装置５０を設けてケーシング３５を収納した後、係合とロックにより保持する構成としている。実施例の場合、ロックハンドル装置５０は、図面のように、前記ロックプレート４８に押し当てたとき、ロックプレート４８の奥側（裏側）に挿入される部位にロック具があり、図１１の上向き（実線位置）でロック解除、横向き（仮想線位置）でロック状態に切替操作を可能に構成している。このように、ロックハンドル装置５０は、脱穀装置５に固定されているロックプレート４８に対して、着脱作業時にロック状態とロック解除の状態に切換できる構成としている。
【００３０】
そして、フレーム側板４０は、図９、及び図１１に示すように、選別室８の揺動選別棚１１の摺動ベアリング５１を案内するベヤリングガイド５２を取り付けて構成している。このように、選別室８は、上記フレーム側板４０に対応させて塞がれる部位には、脱穀装置５の選別室８の側板８ａを部分的に切欠いで作業者が手を挿入できる程度の空洞５４を形成し、内部の清掃やメンテナンスができる構成にしている。
【００３１】
したがって、上記空洞５４は、副選別風ファン９をケーシング３５ごと取り外すと、フレーム側板４０が開放されるから、手を差し込んで、風路（後述する副選別風路６０）の残米の清掃や揺動選別棚１１前部の清掃等が比較的簡単にできる特徴がある。
【００３２】
このように、副選別風ファン９は、図１３に示すように、フィードチエン２７を外側にオープン回動させた後、ケーシング３５を副選別風ファン９とともに外側へ外すと、何もない元の空間部６になるから、走行フレーム３の前部フレーム３ａの左側から右側に位置するエンジン１８のメンテナンスを行うことも可能になる特徴がある。
【００３３】
そして、ケーシング３５は、上記実施例の如く、着脱方向を走行フレーム３の左側方向にのみ拘ることはなく、図１４に示すように、走行フレーム３の前方で上方に取出す着脱構成にすることも可能である。この場合、ケーシング３５は、まず、先に、穀稈搬送装置１６を取外して、刈取懸架台１と入口漏斗７との間に取り出し通路を作った後、前方、上方に取り出すことが考えられる。
【００３４】
つぎに、副選別風ファン９から選別室８の上部に副選別風を吹き込む副選別風路６０について、図１５、乃至図１７に基づいて説明する。
まず、副選別風路６０は、図１６に平面視で示すように、副選別風ファン９の全横幅に渡って設けられるが、図１５で解るように、前記ケーシング３５の上端部分（ケーシング胴３５ｃの端縁）を選別室８の前板４５にまで延長し、上下幅Ｈを隔てた下側には風ガイド板６１をファン９側に設けて風路６０の入口を構成している。そして、上記風ガイド板６１は、ケーシング３５の左右両側板３５ａ，３５ｂに左右両端部が取り付けられ、副選別風ファン９と一体のまま着脱できる構成にしている。
【００３５】
一方、選別室８側の風路構成は、図１５に示すように、上記風路６０の入口に対応する部位に上側風ガイド板６２と下側風ガイド板６３とを、ｈの間隔にして選別室８の前板４５に端縁部を合わせて一体に設け、上記ケーシング胴３５ｃの端縁と下側の風ガイド板６１の端縁とにそれぞれ突き合わせて連通状態になる構成としている。
【００３６】
このように、副選別風路６０は、図１５、及び図１６に示すように、副選別風ファン９側のケーシング胴３５ｃの先端縁、及び下側の風ガイド板６１と、他方の選別室８側に設けた上下の風ガイド板６２，６３とは、横幅、上下間隔（Ｈ、ｈ）、及び角度（絞り角）とを略同一に形成して、連通状態に接合したときぴったり合致して段差がなく、副選別風がなんらの抵抗もなくスムースに選別室８側に吹き込まれることができる構成としている。
【００３７】
つぎに、図１７に示す別実施例の副選別風路６０は、図面から解るように、副選別風ファン９のケーシング胴３５ｃと下側のファン９側の風ガイド板６１とを脱穀装置５の選別室８内まで挿入するように長く延長した構成としている。この実施例は、既に説明した選別室８の空洞５４内に、ファン９側に設けた副選別風路６０が挿入された状態になる構成である。
【００３８】
このように構成すると、副選別風路６０は、これを構成する全ての風ガイド板が副選別風ファン９のケーシング３５と一体になるから、構成が簡潔になって、一体に着脱するから、清掃やメンテナンスが楽になり、一方、選別室８側でも、副選別風ファン９を取り外すと、風ガイド板が残らないから邪魔物が少なくなって清掃が楽になる優れた効果がある。
【００３９】
なお、本明細書中に記載した「左・右」の表現は、全てコンバイン２の前進方向に向かって見た状態を基準として説明した。
つぎに、実施例に係るコンバイン２の伝動機構を、図１８に基づいて説明する。
【００４０】
まず、エンジン１８は、回転動力を脱穀装置５と走行系の静油圧式無段変速装置６５とに分岐して両側に伝動する構成としている。そして、副選別風ファン９は、上記静油圧式無段変速装置６５から走行ミッション装置６６を経由してファン入力プーリ６７に入力される伝動経路に構成している。そして、上記ファン入力プーリ６７は、既に説明した入力軸３７に軸着して設け、軸側にワンウエイクラッチ６８を装備し、逆回転（例えば、走行ミッション装置６６から後進回転動力が伝動されたとき）の伝動が不能となる構成としている。
【００４１】
そして、フィードチエン２７は、図面に示すように、副選別風ファン９を経由して、既に説明している伝動ケース３９からフードチエンギヤケース４１を経由して、走行速度にシンクロされた回転動力が伝動される構成としている。
【００４２】
そして、副選別風ファン９は、図１８に示すように、脱穀装置５の圧風唐箕１０側から入力される伝動経路７０を構成している。この伝動経路７０は、走行ミッション装置６６側を停止した状態で脱穀装置５のみを駆動しながら脱穀作業を行なうときに使用する伝動装置である。
【００４３】
実施例の場合、脱穀装置５のクラッチ機構は、脱穀装置５のみを伝動する位置と、刈取装置１５側と同時に伝動する位置に切換操作を可能に構成されている。
したがって、コンバイン２は、既に広く知られているように、枕地の稲を手刈り作業で刈り取って枕扱ぎを行うときには、コンバイン２の走行を停止し、脱穀装置５側のみを駆動し、前記伝動経路７０を利用して副選別風ファン９とフィードチエン２７とを脱穀装置５と共に伝動しながら脱穀作業を行うことができる。
【図面の簡単な説明】
【００４４】
【図１】内部を示す脱穀装置の左側面図
【図２】内部を示す脱穀装置の平面図
【図３】内部を示す脱穀装置の平面図
【図４】コンバインの一部の側面図
【図５】コンバインの平面図
【図６】コンバインの側面図
【図７】コンバインの一部の平面図
【図８】フィードチエンオープンの作用図
【図９】副選別風ファンの断面した平面図
【図１０】分解状態を示す脱穀装置の正面図
【図１１】副選別風ファンを走行フレームから取り外した側面図
【図１２】副選別風ファンの内部を示す平面図
【図１３】副選別風ファンを側方に取り外した分解状態を示す平面図
【図１４】副選別風ファンを前方上方に取り出した分解状態の平面図
【図１５】副選別風路の側面図
【図１６】副選別風路の平面図
【図１７】副選別風路の別実施例を示す側面図
【図１８】伝動機構図
【符号の説明】
【００４５】
１  刈取懸架台                      ２  コンバイン
３  走行フレーム                    ３ａ  前部フレーム
３ｂ  中間後部フレーム              ４  穀稈供給口
５  脱穀装置                        ６    空間部
７  入口漏斗                        ８  選別室
９  副選別風ファン                  １０  圧風唐箕
【図１】
2006204138.tif 000003
【図２】
2006204138.tif 000004
【図３】
2006204138.tif 000005
【図４】
2006204138.tif 000006
【図５】
2006204138.tif 000007
【図６】
2006204138.tif 000008
【図７】
2006204138.tif 000009
【図８】
2006204138.tif 000010
【図９】
2006204138.tif 000011
【図１０】
2006204138.tif 000012
【図１１】
2006204138.tif 000013
【図１２】
2006204138.tif 000014
【図１３】
2006204138.tif 000015
【図１４】
2006204138.tif 000016
【図１５】
2006204138.tif 000017
【図１６】
2006204138.tif 000018
【図１７】
2006204138.tif 000019
【図１８】
2006204138.tif 000020